(57)【要約】【課題】経鼻胃管の位置の画像を送り、鼻孔から食道を経て胃に挿入される経鼻胃管の進入方向を制御する経鼻胃管の推進装置を提供する。【解決手段】経鼻胃管の推進装置は、経鼻胃管１、撮像ユニット、発光ユニット、表示ユニット４、制御ユニット５、移動搬送ユニット６及びケース７を備える。経鼻胃管１は、中空管体である。撮像ユニット及び発光ユニットは、経鼻胃管１の前端又は前端と隣り合う管壁上に設けられる。発光ユニットは、撮像ユニットが撮像するのに必要な光源を提供する。表示ユニットは、撮像ユニットがキャプチャした画像を受けた後、画像を表示する。ケース７には、表示ユニット４、制御ユニット５及び移動搬送ユニット６が配設される。制御ユニット５は、移動搬送ユニット６を制御する操作インタフェース８１を有する。移動搬送ユニット６は、伝動セット及び挟持セットを有する。【選択図】図１
0003217564.tif 000002
【実用新案登録請求の範囲】
【請求項１】
経鼻胃管、撮像ユニット、発光ユニット、表示ユニット、制御ユニット、移動搬送ユニット及びケースを備えた経鼻胃管の推進装置であって、
前記経鼻胃管は、中空管体であり、前記経鼻胃管の前端に隣り合う箇所には、管壁に貫通されて流動食を流出させる穿孔が形成され、
前記撮像ユニット及び前記発光ユニットは、前記経鼻胃管の前端又は前端と隣り合う管壁上に設けられ、
前記発光ユニットは、前記撮像ユニットが撮像するのに必要な光源を提供し、
前記表示ユニットは、前記撮像ユニットがキャプチャした画像を受けた後、前記画像を表示し、
前記ケースには、前記表示ユニット、前記制御ユニット及び前記移動搬送ユニットが配設され、
前記制御ユニットは、前記移動搬送ユニットを制御する操作インタフェースを有し、
前記移動搬送ユニットは、伝動セット及び挟持セットを有し、
前記伝動セットは、前記制御ユニットの制御モジュールに基づき、前記挟持セットにより前記経鼻胃管を挟持して移動搬送し、前記経鼻胃管をスムーズに鼻孔から食道を経て胃部へ挿入し、後続の流動食の摂取をスムーズに行うことを特徴とする、
経鼻胃管の推進装置。
【請求項２】
前記操作インタフェースは、第１の制御部及び第２の制御部を有し、前記第１の制御部は、前記移動搬送ユニットの前進及び後退を制御するとともに、前進ボタン及び後退ボタンを含み、前記第２の制御部は、前記経鼻胃管の前端の上下左右の方向転換を制御することを特徴とする請求項１に記載の経鼻胃管の推進装置。
【請求項３】
前記操作インタフェースは、第３の制御部を有し、前記第３の制御部は、補助搬送ユニットの前進、後退を制御するとともに、前進ボタン及び後退ボタンを含み、前記補助搬送ユニットは、前記ケース上に設けられることを特徴とする請求項２に記載の経鼻胃管の推進装置。
【請求項４】
前記発光ユニットはＬＥＤ又は光ファイバであることを特徴とする請求項３に記載の経鼻胃管の推進装置。
【請求項５】
前記ケースの頂端面には、前記経鼻胃管が設置される収納槽が形成され、前記ケースの前端面には、操作者が前記制御ユニットを操作して前記表示ユニットの画面を監視し得るように前記制御ユニット及び前記表示ユニットが取り付けられ、前記移動搬送ユニットの前記伝動セットは、前記ケース内部に設けられ、前記伝動セットの動力出力端は、前記挟持セットに接続され、前記挟持セットは、前後に配設された２対のグリップ部を含み、前記グリップ部は、前記ケースの頂端面の前記収納槽から突出されるとともに、前記経鼻胃管を挟持することを特徴とする請求項４に記載の経鼻胃管の推進装置。
【請求項６】
前記ケースは、収容室を有し、前記収容室中には、携帯式制御ユニットが配設され、前記携帯式制御ユニットは、操作インタフェース及び無線伝送モジュールを有し、前記ケース内には前記無線伝送モジュールが設けられ、前記無線伝送モジュールを２つ組み合わせて信号を伝送し、前記携帯式制御ユニットの前記操作インタフェース上には、第４の制御部、第５の制御部及び第６の制御部が含まれ、前記第４の制御部は、前記移動搬送ユニットの前進及び後退を制御するとともに、前進ボタン及び後退ボタンを含み、前記第５の制御部は、前記経鼻胃管の前端の上下左右の方向転換を制御し、前記第６の制御部は、前記補助搬送ユニットの前進、後退を制御するとともに、前進ボタン及び後退ボタンを含むことを特徴とする請求項５に記載の経鼻胃管の推進装置。
【請求項７】
前記携帯式制御ユニットは、前記撮像ユニットがキャプチャした画像を表示する画像表示部を有することを特徴とする請求項６に記載の経鼻胃管の推進装置。
【請求項８】
前記ケースは、収容室を有し、前記収容室中には、携帯式制御ユニットが配設され、前記携帯式制御ユニットは、操作インタフェース及び無線伝送モジュールを含み、前記ケース内には前記無線伝送モジュールが設けられ、前記無線伝送モジュールを２つ組み合わせて信号を伝送し、前記携帯式制御ユニットの前記操作インタフェース上には、第４の制御部、第５の制御部及び第６の制御部が含まれ、前記第４の制御部は、前記移動搬送ユニットの前進及び後退を制御するとともに、前進ボタン及び後退ボタンを含み、前記第５の制御部は、前記経鼻胃管の前端の上下左右の方向転換を制御し、前記第６の制御部は、前記補助搬送ユニットの前進、後退を制御するとともに、前進ボタン及び後退ボタンを含むことを特徴とする請求項３に記載の経鼻胃管の推進装置。
【請求項９】
前記携帯式制御ユニットは、前記撮像ユニットがキャプチャした画像を表示する画像表示部を有することを特徴とする請求項８に記載の経鼻胃管の推進装置。
【考案の詳細な説明】
【技術分野】
【０００１】
本考案は、経鼻胃管の推進装置に関し、特に、経鼻胃管の位置の画像を送り、鼻孔から食道を経て胃に挿入される経鼻胃管の進入方向を制御する経鼻胃管の推進装置に関する。
【背景技術】
【０００２】
咀嚼・嚥下障害が起きたり、咳き込んだり、食事時間が長すぎたり、食事量が少なすぎたりすると、患者が容易に栄養不足となったり、電解質不足となったり、水分が不足したりし、最悪の場合、患者が意識を失ってしまうことがある。嚥下を行うことが困難な場合、食事を行う際の咳き込みを減らし、食事時間及び手間を減らして生命を維持するために、経鼻胃管が挿入されている患者は多かった。
【０００３】
経鼻胃管は、速やかに食事を供給するために用いる生命維持管路であるが、それは侵襲式の医療行為であるため、感染のリスクがある。特に、医療従事者が経鼻胃管を挿入する際、不注意により気管支に誤挿入し、意識が無い患者の場合、痛みを医療従事者に訴えることができずに、食べ物が肺に誤って入って誤嚥性肺炎を起こし、患者の健康に悪影響を与えてしまうことがあった。そのため、経鼻胃管を胃部に挿入するときに、感染の危険性を減らす技術が求められていた。
【０００４】
また、経鼻胃管は、侵襲性の医療器材であるため、経鼻胃管を人体の鼻腔から胃内に挿入するときに、健康に悪影響を与える虞があった。そのため、経鼻胃管を取付けた後、特に必要が無ければ取り外さずにそのままにしておくことが一般的であった。
経鼻胃管はその一部が体内に置かれるため、経鼻胃管には、患者が経鼻胃管に反応して様々な不快に感じることがないように、比較的好ましい材料を用いなければならなかった。しかし、一定時間使用すると、衛生上好ましくない上、経鼻胃管の体外に露出された部分が損壊して交換しなければならなくなると、経鼻胃管が高価な材料からなるため、資源が無駄となり交換にかかる費用が多くなってしまう欠点があった。
【考案の概要】
【考案が解決しようとする課題】
【０００５】
本考案の主な目的は、外付けの操作インタフェースにより経鼻胃管を胃部に挿入する動作を操作し、感染の危険性を減らすとともに、リアルタイムの画像により経鼻胃管が進む方向を確実に把握し、医療従事者が不注意により経鼻胃管を胃部内へ誤挿入してしまうことを防ぐ、経鼻胃管の推進装置を提供することにある。
本考案のもう一つの目的は、経鼻胃管を体外に露出された第１の管体と、体内に挿入された第２の管体とにより構成し、第１の管体と第２の管体とは分離して取り外し可能であり、状況に応じて個別に交換することができるため、資源の無駄が減り、交換にかかる費用を減らすこともできる、経鼻胃管の推進装置を提供することにある。
【課題を解決するための手段】
【０００６】
上記課題を解決するために、本考案の第１の形態によれば、経鼻胃管、撮像ユニット、発光ユニット、表示ユニット、制御ユニット、移動搬送ユニット及びケースを備えた経鼻胃管の推進装置であって、前記経鼻胃管は、中空管体であり、前記経鼻胃管の前端に隣り合う箇所には、管壁に貫通されて流動食を流出させる穿孔が形成され、前記撮像ユニット及び前記発光ユニットは、前記経鼻胃管の前端又は前端と隣り合う管壁上に設けられ、前記発光ユニットは、前記撮像ユニットが撮像するのに必要な光源を提供し、前記表示ユニットは、前記撮像ユニットがキャプチャした画像を受けた後、前記画像を表示し、前記ケースには、前記表示ユニット、前記制御ユニット及び前記移動搬送ユニットが配設され、前記制御ユニットは、前記移動搬送ユニットを制御する操作インタフェースを有し、前記移動搬送ユニットは、伝動セット及び挟持セットを有し、前記伝動セットは、前記制御ユニットの制御モジュールに基づき、前記挟持セットにより前記経鼻胃管を挟持して移動搬送し、前記経鼻胃管をスムーズに鼻孔から食道を経て胃部へ挿入し、後続の流動食の摂取をスムーズに行うことを特徴とする経鼻胃管の推進装置を提供する。
【０００７】
前記操作インタフェースは、第１の制御部及び第２の制御部を有し、前記第１の制御部は、前記移動搬送ユニットの前進及び後退を制御するとともに、前進ボタン及び後退ボタンを含み、前記第２の制御部は、前記経鼻胃管の前端の上下左右の方向転換を制御することが好ましい。
【０００８】
前記操作インタフェースは、第３の制御部を有し、前記第３の制御部は、補助搬送ユニットの前進、後退を制御するとともに、前進ボタン及び後退ボタンを含み、前記補助搬送ユニットは、前記ケース上に設けられることが好ましい。
【０００９】
前記発光ユニットはＬＥＤ又は光ファイバであることが好ましい。
【００１０】
前記ケースの頂端面には、前記経鼻胃管が設置される収納槽が形成され、前記ケースの前端面には、操作者が前記制御ユニットを操作して前記表示ユニットの画面を監視し得るように前記制御ユニット及び前記表示ユニットが取り付けられ、前記移動搬送ユニットの前記伝動セットは、前記ケース内部に設けられ、前記伝動セットの動力出力端は、前記挟持セットに接続され、前記挟持セットは、前後に配設された２対のグリップ部を含み、前記グリップ部は、前記ケースの頂端面の前記収納槽から突出されるとともに、前記経鼻胃管を挟持することが好ましい。
【００１１】
前記ケースは、収容室を有し、前記収容室中には、携帯式制御ユニットが配設され、前記携帯式制御ユニットは、操作インタフェース及び無線伝送モジュールを有し、前記ケース内には前記無線伝送モジュールが設けられ、前記無線伝送モジュールを２つ組み合わせて信号を伝送し、前記携帯式制御ユニットの前記操作インタフェース上には、第４の制御部、第５の制御部及び第６の制御部が含まれ、前記第４の制御部は、前記移動搬送ユニットの前進及び後退を制御するとともに、前進ボタン及び後退ボタンを含み、前記第５の制御部は、前記経鼻胃管の前端の上下左右の方向転換を制御し、前記第６の制御部は、前記補助搬送ユニットの前進、後退を制御するとともに、前進ボタン及び後退ボタンを含むことが好ましい。
【００１２】
前記携帯式制御ユニットは、前記撮像ユニットがキャプチャした画像を表示する画像表示部を有することが好ましい。
【００１３】
前記ケースは、収容室を有し、前記収容室中には、前記携帯式制御ユニットが配設され、前記携帯式制御ユニットは、操作インタフェース及び無線伝送モジュールを含み、前記ケース内には前記無線伝送モジュールが設けられ、前記無線伝送モジュールを２つ組み合わせて信号を伝送し、前記携帯式制御ユニットの前記操作インタフェース上には、第４の制御部、第５の制御部及び第６の制御部が含まれ、前記第４の制御部は、前記移動搬送ユニットの前進及び後退を制御するとともに、前進ボタン及び後退ボタンを含み、前記第５の制御部は、前記経鼻胃管の前端の上下左右の方向転換を制御し、前記第６の制御部は、前記補助搬送ユニットの前進、後退を制御するとともに、前進ボタン及び後退ボタンを含むことが好ましい。
【００１４】
前記携帯式制御ユニットは、前記撮像ユニットがキャプチャした画像を表示する画像表示部を有することが好ましい。
【考案の効果】
【００１５】
本考案の経鼻胃管の推進装置は、以下（１）及び（２）の効果を有する。
（１）外付けの操作インタフェースにより経鼻胃管を胃部に挿入する動作を操作し、感染の危険性を減らすとともに、リアルタイムの画像により経鼻胃管が進む方向を確実に把握し、医療従事者が不注意により経鼻胃管を胃部内へ誤挿入してしまうことを防ぐ。
（２）経鼻胃管を体外に露出された第１の管体と、体内に挿入された第２の管体とにより構成し、第１の管体と第２の管体とは分離して取り外し可能であり、状況に応じて個別に交換することができるため、資源の無駄が減り、交換にかかる費用を減らすこともできる。
【図面の簡単な説明】
【００１６】
【図１】本考案の一実施形態に係る経鼻胃管の推進装置を示す分解斜視図である。
【図２】本考案の一実施形態に係る経鼻胃管の推進装置の撮像ユニット、発光ユニットが経鼻胃管に取り付けられた状態を示す斜視図である。
【図３】本考案の他の実施形態に係る経鼻胃管の推進装置の撮像ユニット、発光ユニットが経鼻胃管に取り付けられた状態を示す斜視図である。
【図４】本考案の一実施形態に係る経鼻胃管の推進装置の移動搬送ユニットの搬送経鼻胃管の動作状態を示す説明図（１）である。
【図５】本考案の一実施形態に係る経鼻胃管の推進装置の移動搬送ユニットの搬送経鼻胃管の動作状態を示す説明図（２）である。
【図６】本考案の一実施形態に係る経鼻胃管の推進装置の分離式経鼻胃管を示す説明図である。
【図７】本考案の一実施形態に係る経鼻胃管の推進装置の分離式経鼻胃管を示す分解斜視図である。
【図８】本考案の第１実施形態に係る経鼻胃管の推進装置の分離式経鼻胃管を示す組立断面図である。
【図９】本考案の第２実施形態に係る経鼻胃管の推進装置の分離式経鼻胃管を示す組立断面図である。
【図１０】本考案の第３実施形態に係る経鼻胃管の推進装置の分離式経鼻胃管を示す組立断面図である。
【図１１】本考案の第４実施形態に係る経鼻胃管の推進装置の分離式経鼻胃管を示す組立断面図である。
【図１２】本考案の第５実施形態に係る経鼻胃管の推進装置の分離式経鼻胃管を示す分解斜視図である。
【図１３】本考案の第５実施形態に係る経鼻胃管の推進装置の分離式経鼻胃管を示す組立斜視図である。
【図１４】本考案の第５実施形態に係る経鼻胃管の推進装置の分離式経鼻胃管を示す組立断面図である。
【図１５】本考案の第６実施形態に係る経鼻胃管の推進装置の分離式経鼻胃管を示す組立断面図である。
【図１６】本考案の第７実施形態に係る経鼻胃管の推進装置の分離式経鼻胃管を示す組立断面図である。
【図１７】本考案の第８実施形態に係る経鼻胃管の推進装置の分離式経鼻胃管を示す組立断面図である。
【図１８】本考案の第９実施形態に係る経鼻胃管の推進装置の分離式経鼻胃管を示す組立断面図である。
【考案を実施するための形態】
【００１７】
本考案の技術手段及びそれにより達成可能な効果を、より完全かつ明白に開示するために、開示した添付の図面及び符号と併せて本考案を以下詳説する。
【００１８】
図１〜図３を参照する。図１〜図３に示すように、本考案の一実施形態に係る経鼻胃管の推進装置は、少なくとも経鼻胃管１、撮像ユニット２、発光ユニット３、表示ユニット４、制御ユニット５及び移動搬送ユニット６から構成されてなる。
【００１９】
経鼻胃管１は、中空管体であり、前端に隣り合う箇所に、管壁を貫通する複数の穿孔１０が形成される。流動食は、穿孔１０を介して経鼻胃管１の内部チューブから胃部へ流出する。
【００２０】
撮像ユニット２は、経鼻胃管１の前端（図２を参照する）又は前端と隣り合う管壁上（図３を参照する）に設けられて画像をキャプチャし、キャプチャした画像を表示ユニット４へ伝送する。
【００２１】
発光ユニット３は、経鼻胃管１の前端又は前端と隣り合う管壁上に設けられ、撮像ユニット２に対応する。発光ユニット３は、撮像ユニット２が撮像するのに必要な光源を提供する。発光ユニット３は、ＬＥＤ又は光ファイバでもよい。
【００２２】
表示ユニット４は、撮像ユニット２がキャプチャした画像を受けた後、当該画像をリアルタイムで表示する。
【００２３】
制御ユニット５は、操作インタフェース５１を有する。操作インタフェース５１は、第１の制御部５２、第２の制御部５３及び第３の制御部５４を含む。第１の制御部５２は、移動搬送ユニット６の前進及び後退を制御し、前進ボタン５２１及び後退ボタン５２２を含む。第２の制御部５３は、経鼻胃管１前端の上下左右の方向転換を制御する。第３の制御部５４は、補助搬送ユニット９の前進、後退を制御し、前進ボタン５４１及び後退ボタン５４２を含む。
【００２４】
移動搬送ユニット６は、制御ユニット５の第１の制御部５２と電気的に接続され、移動搬送ユニット６を前進又は後退を制御することができる。
図４に示すように、移動搬送ユニット６は、伝動セット６１及び挟持セット６２を含む。伝動セット６１は、制御ユニット５の第１の制御部５２に基づく制御モードである。挟持セット６２が経鼻胃管１を挟持し、経鼻胃管１の移動・搬送により、経鼻胃管１をスムーズに鼻孔から食道を経て胃部へ挿入し、後続の流動食の摂取をスムーズに行うことができるようにする。
【００２５】
第２の制御部５３は、経鼻胃管１の前端に設けられた方向転換機構と電気的に接続され、第２の制御部５３のレバーを上下左右へ揺動させて制御し、経鼻胃管１の前端に設けた方向転換機構により上下左右へ曲げる動作を行う。
【００２６】
第３の制御部５４は、補助搬送ユニット９と電気的に接続される上、前進ボタン５４１及び後退ボタン５４２を含み、前進ボタン５４１及び後退ボタン５４２により補助搬送ユニット９を制御し、経鼻胃管１を前進させたり後退させたりする。
【００２７】
図４及び図５を参照する。図４及び図５に示すように、経鼻胃管１を鼻孔から食道を経て胃部まで挿入するとき、医療従事者は、直接制御ユニット５の操作インタフェース５１の第１の制御部５２を介し、移動搬送ユニット６の搬送モードを行う。
操作インタフェース５１の第１の制御部５２は、伝動セット６１の挟持セット６２を制御し、挟持及び移動を行う。挟持セット６２は、前後に配設された２対のグリップ部６２１により構成される。初期状態のとき、２対のグリップ部６２１により共同で経鼻胃管１を挟持し、第１の制御部５２の前進ボタン５２１を制御し、経鼻胃管１の前進動作を操作した後、伝動セット６１により後方のグリップ部６２１を制御し、まず、経鼻胃管１をリリースするとともに、後方へ変位して経鼻胃管１を挟持する。続いて、前方のグリップ部６２１が経鼻胃管１をリリースし、後方のグリップ部６２１が前方へ変位して経鼻胃管１を挟持し、その後、前方のグリップ部６２１が経鼻胃管１を挟持し、後方のグリップ部６２１が経鼻胃管１をリリースしてから、後方へ変位して経鼻胃管１を再び挟持した後、前方のグリップ部６２１が経鼻胃管１をリリースし、後方のグリップ部６２１を前方へ変位させて経鼻胃管１を再び挟持し、このような動作を繰り返すことにより、経鼻胃管１をスムーズに鼻孔から食道を経て胃部まで挿入することができる。
もし第１の制御部５２の後退ボタン５２２を制御し、経鼻胃管１が後退するように操作した後、伝動セット６１が前方のグリップ部６２１を制御し、まず、経鼻胃管１をリリースして変位させて経鼻胃管１を挟持する。続いて、後方のグリップ部６２１が経鼻胃管１をリリースし、前方のグリップ部６２１が前方へ変位して経鼻胃管１を再び挟持した後、後方のグリップ部６２１により経鼻胃管１を挟持し、前方のグリップ部６２１が経鼻胃管１をリリースした後、後方へ変位して経鼻胃管１を再び挟持した後、後方のグリップ部６２１が経鼻胃管１をリリースし、前方のグリップ部６２１が後方へ変位し、経鼻胃管１を再び挟持する。このような動作を繰り返すことにより、経鼻胃管１を後方へスムーズに移動させることができる。
また、第２の制御部５３のレバーを上下左右へ揺動して操作し、経鼻胃管１の前端は、方向転換機構が第２の制御部５３により制御され、上下左右の方向転換を行う。
【００２８】
また、経鼻胃管１が鼻孔から食道を経て胃部へ挿入される際、発光ユニット３の照明により、撮像ユニット２は、鼻孔から食道を経て胃部へ至る経鼻胃管１の経路をキャプチャし、その画像が表示ユニット４へ送信され、医療従事者は、画像に基づき制御ユニット５が制御を行い、移動搬送ユニット６を経鼻胃管１の進入方向で案内する。
【００２９】
経鼻胃管１は、予め、収容部材１７の内部に包装され、経鼻胃管の搬送制御装置は、ケース７をさらに含む。ケース７の頂端面には、収納槽７１が形成される。収納槽７１には、予め包装された経鼻胃管１の収容部材１７が内部に収納され、操作者が制御ユニット５を操作して表示ユニット４の画面を監視し易いように、表示ユニット４及び制御ユニット５がケース７の前端面に取り付けられている。
移動搬送ユニット６の伝動セット６１は、ケース７内部に設けられる。伝動セット６１の動力出力端は、挟持セット６２に接続される。挟持セット６２のグリップ部６２１は、ケース７の頂端面の収納槽７１から突出され、グリップ部６２１が経鼻胃管１を挟持する。
【００３０】
また、ケース７は、収容室７２をさらに含む。収容室７２中には、携帯式制御ユニット８が配設される。携帯式制御ユニット８は、操作インタフェース８１を含む。操作インタフェース８１上には、第４の制御部８２、第５の制御部８３及び第６の制御部８４が含まれる。
第４の制御部８２は、移動搬送ユニット６の前進及び後退を制御し、前進ボタン８２１及び後退ボタン８２２を含む。第５の制御部８３は、経鼻胃管１の前端の上下左右の方向転換を制御する。第６の制御部８４は、補助搬送ユニット９の前進、後退を制御するとともに、前進ボタン８４１及び後退ボタン８４２を含む。第４の制御部８２、第５の制御部８３及び第６の制御部８４は、第１の制御部５２、第２の制御部５３、第３の制御部５４の制御方式と同じであるため、ここでは繰り返して述べない。
携帯式制御ユニット８は、撮像ユニット２がキャプチャした画像を表示する画像表示部８５をさらに含む。ケース７内には無線伝送モジュールが設けられ、２つの無線伝送モジュールを組み合わせて信号を伝送し、医療従事者は、携帯式制御ユニット８を利用し、操作インタフェース８１により経鼻胃管を制御し、鼻孔から食道を経て胃部へ挿入し、制御信号が２つの無線伝送モジュールにより伝送されて移動搬送ユニット６を制御する。
【００３１】
補助搬送ユニット９は、経鼻胃管１の末端が嵌着できるようにケース７に設けられ、経鼻胃管１の末端部を鼻腔内にスムーズに挿入することができる。
【００３２】
図７及び図８を参照する。図７及び図８は、本考案の一実施形態に係る経鼻胃管の推進装置を分離式栄養チューブに応用した状態を示し、それは第１の管体１１及び第２の管体１２を含む。
【００３３】
第１の管体１１の一端は、第１の結合端１１１に着脱可能又は一体成形の方式により設置される。第１の結合端１１１の外表面には、係合溝１１１１が形成される。
【００３４】
第２の管体１２の一端には、第１の結合端１１１に対向するように第２の結合端１２１が設けられる。第２の結合端１２１の内表面には、凸体１２１１が設けられる。第２の結合端１２１の外表面には、ストッパリング１２２が突設される。ストッパリング１２２上には、複数の穿孔１２２１が形成される。第１の管体１１の第１の結合端１１１が第２の管体１２の第２の結合端１２１内に嵌入され、凸体１２１１が係合溝１１１１に係合されると第１の結合端１１１と第２の結合端１２１とが係合され、第１の管体１１と第２の管体１２とが連結固定されて栄養チューブが形成され、流動食を搬送する搬送経路として用いることができる。
ストッパリング１２２の直径は、鼻孔の孔径より大きく、栄養チューブが人体に挿入される長さを制限し、その上に形成された穿孔１２２１を利用し、鼻孔がストッパリング１２２により遮られて患者の呼吸が妨げられることを防ぐ。
【００３５】
第１の管体１１と第２の管体１２とが分離可能に設計されているため、第１の管体１１と第２の管体１２とは取り外し可能である。
【００３６】
第１の結合端１１１の末端端縁と、第２の結合端１２１内の末端端縁に対応した箇所とには、凹凸突合せ接続の突合せ部１１２，１２３が形成され（図８を参照する）、第１の管体１１と第２の管体１２との結合がより強固となり、漏れを防ぐことができる。
【００３７】
図９を参照する。図９に示すように、本実施形態の第２の結合端１２１には、スリーブ１２４が形成され、第１の結合端１１１が対応してスリーブ１２４に挿着され、第１の結合端１１１と第２の結合端１２１との結合がより強固になる。第１の結合端１１１と第２の結合端１２１との結合も互いに接触されて発生した摩擦力によりかしめ固定される。
【００３８】
図１０の分離式経鼻胃管の実施形態において、第１の結合端１１１の外表面には、雄ねじ１１１２が設けられる。第２の結合端１２１の内表面には、雌ねじ１２１２が設けられる。雄ねじ１１１２と雌ねじ１２１２とが螺合されると、第１の結合端１１１と第２の結合端１２１とが連結固定される。
【００３９】
図１１の分離式経鼻胃管の実施形態において、第２の結合端１２１には、スリーブ１２４が設けられる。スリーブ１２４内には、前述の雌ねじ１２１２が形成される。前述のストッパリング１２２は、スリーブ１２４の外表面に設けられる。
【００４０】
図１２の分離式経鼻胃管の実施形態において、第１の管体１１の第１の結合端１１１の外表面上には、位置決めリング１１３が突設され、雌ねじ１２１２と雄ねじ１１１２とを螺着する極限位置を設定する（図１３を参照する）。
第１の結合端１１１の末端端縁と、第２の結合端１２１内の末端端縁に対応した箇所とには、凹凸突合せ接続の突合せ部１１４，１２５が形成される（図１４を参照する）。或いは、第１の結合端１１１の末端端縁と、第２の結合端１２１内の末端端縁に対応した箇所とには、互いに突合せ接続可能な密着ワッシャが設けられ（図示せず）、さらには、２つの密着ワッシャ部１５６，１６３が互いに対応して接合される面に凹凸対応した突合せ部が形成されてもよい（図示せず）。
【００４１】
図１５の分離式経鼻胃管の実施形態において、第１の管体１１には、第２の管体１２に対向するように第１の結合端１１１に第１のスリーブ１１５が設けられている。第２の管体１２には、第１の管体１１に対向するように第２の結合端１２１に第２のスリーブ１２６が設けられている。第１のスリーブ１１５の内表面には、第１の雌ねじ１１５１が形成される。第２のスリーブ１２６の内表面には、第２の雌ねじ１２６１が形成される。結合部材１３を介して第１の管体１１と第２の管体１２とが結合される。
結合部材１３に隣り合う第１の結合端１１１の外表面には、第１の雄ねじ１３１が設けられる。結合部材１３に隣り合う第２の結合端１２１の外表面には、第２の雄ねじ１３２が設けられ、第１の雄ねじ１３１と第１の雌ねじ１１５１とは螺合可能であり、第２の雄ねじ１３２と第２の雌ねじ１２６１とは螺合可能である。第１の雄ねじ１３１と第２の雄ねじ１３２との間には位置決めリング１３３が突設され、第１の雌ねじ１１５１と第１の雄ねじ１３１と、第２の雌ねじ１２６１と第２の雄ねじ１３２とを互いに螺着して極限位置が決められる。
【００４２】
結合部材１３は、第１のスリーブ１１５の第１の端部の端縁と、第１のスリーブ１１５内の第１の端部の端縁に対応した箇所とに凹凸突合せの第１の突合せ部１１７，１３４を有する。
結合部材１３は、第２のスリーブ１２６に対向した第２の端部の端縁と、第２のスリーブ１２６内の第２の端部の端縁に対応した箇所とに、第２の突合せ部１２８，１３５が凹凸突合せされるか、或いは、結合部材１３を介して第１のスリーブ１１５に対向する第１の端部の端縁と、第１のスリーブ１１５内の第１の端部の端縁と、結合部材１３を介して第２のスリーブ１２６の第２の端部の端縁とに密着ワッシャ部１５６，１６３を設け（図示せず）、さらには、互いに隣り合う密着ワッシャ部１５６，１６３の互いに突き合わされる面に、凹凸対応の突合せ部を形成してもよい（図示せず）。
【００４３】
図１６の分離式経鼻胃管の実施形態において、第１の管体１４の一端には、着脱自在方式又は一体成形方式により結合部材１６が固定される。結合部材１６は、内部が中空の環状構造体である。結合部材１６の内壁表面には、結合部１６１が設けられる。
本実施形態の結合部１６１は、ねじ部である。第２の管体１５の一端には、結合部材１６の一端に対応する第２の結合端１５１が設けられる。本実施形態の第２の結合端１５１の表面には、ねじ部が設けられる。結合部材１６は、その内壁表面に形成された結合部１６１を介し、第２の管体１５上の第２の結合端１５１と突合せ接続される。
【００４４】
本実施形態の第２の管体１５の外表面の管壁上には、直径が鼻孔の孔径より大きなストッパリング１５３が突設され、人体に挿入される栄養チューブが長さを制限する。ストッパリング１５３上には、ストッパリング１５３の壁厚に貫通された複数の穿孔１５４が形成されている。穿孔１５４は、鼻孔がストッパリング１５３により遮られて患者の呼吸が困難となることを防ぐ。
【００４５】
図１７を参照する。図１７に示すように、結合部材１６とストッパリング１５３とが対応接触される結合箇所には、凹凸突合せ接続の突合せ凸部１６２，１５５が形成される。
【００４６】
図１８を参照する。図１８に示すように、結合部材１６とストッパリング１５３とが対応接触される結合箇所には、互いに対応する第１の密着ワッシャ部１６３及び第２の密着ワッシャ部１５６が設けられる。第１の密着ワッシャ部１６３と第２の密着ワッシャ部１５６とは互いに突合わされて密着される。また、第１の密着ワッシャ部１６３と第２の密着ワッシャ部１５６とが互いに突合わされる端部には、凹凸対応した突合せ凸部１６４、突合せ凹部１５７がそれぞれ設けられる。
【符号の説明】
【００４７】
１  経鼻胃管
２  撮像ユニット
３  発光ユニット
４  表示ユニット
５  制御ユニット
６  移動搬送ユニット
７  ケース
８  携帯式制御ユニット
９  補助搬送ユニット
１０  穿孔
１１  第１の管体
１２  第２の管体
１３  結合部材
１４  第１の管体
１５  第２の管体
１６  結合部材
１７  収容部材
５１  操作インタフェース
５２  第１の制御部
５３  第２の制御部
５４  第３の制御部
６１  伝動セット
６２  挟持セット
７１  収納槽
７２  収容室
８１  操作インタフェース
８２  第４の制御部
８３  第５の制御部
８４  第６の制御部
８５  画像表示部
１１１  第１の結合端
１１２  突合せ部
１１３  位置決めリング
１１４  突合せ部
１１５  第１のスリーブ
１１７  第１の突合せ部
１２１  第２の結合端
１２２  ストッパリング
１２３  突合せ部
１２４  スリーブ
１２５  突合せ部
１２６  第２のスリーブ
１２８  第２の突合せ部
１３１  第１の雄ねじ
１３２  第２の雄ねじ
１３３  位置決めリング
１３４  第１の突合せ部
１３５  第２の突合せ部
１５１  第２の結合端
１５３  ストッパリング
１５４  穿孔
１５５  突合せ凹部
１５６  第２の密着ワッシャ部
１５７  突合せ凹部
１６１  結合部
１６２  突合せ凸部
１６３  第１の密着ワッシャ部
１６４  突合せ凸部
５２１  前進ボタン
５２２  後退ボタン
５４１  前進ボタン
５４２  後退ボタン
６２１  グリップ部
８２１  前進ボタン
８２２  後退ボタン
８４１  前進ボタン
８４２  後退ボタン
１１１１  係合溝
１１１２  雄ねじ
１１５１  第１の雌ねじ
１２１１  凸体
１２１２  雌ねじ
１２２１  穿孔
１２６１  第２の雌ねじ
【図１】
0003217564.tif 000003
【図２】
0003217564.tif 000004
【図３】
0003217564.tif 000005
【図４】
0003217564.tif 000006
【図５】
0003217564.tif 000007
【図６】
0003217564.tif 000008
【図７】
0003217564.tif 000009
【図８】
0003217564.tif 000010
【図９】
0003217564.tif 000011
【図１０】
0003217564.tif 000012
【図１１】
0003217564.tif 000013
【図１２】
0003217564.tif 000014
【図１３】
0003217564.tif 000015
【図１４】
0003217564.tif 000016
【図１５】
0003217564.tif 000017
【図１６】
0003217564.tif 000018
【図１７】
0003217564.tif 000019
【図１８】
0003217564.tif 000020